Podtech/llm-jp-corpus-v4-ja_patent huggingface dataset:
(57)【要約】      （修正有）【課題】屋外広告板に立体性を持たせて通行人等の関心度と注目度を高めるほか、屋根や和室で通行人等に癒しと安らぎを与えるような屋外広告装置を提供する。【解決手段】屋外広告板そのものに立体性を持たせるため、広告板の中央部にコマーシャル画像等を表示するＬＥＤデイスプレイを設けて、その周囲の上下左右に和室を立体的に表現した平面絵柄と上部に屋根を取り付けて、広告板そのものの立体性を通行人等の視覚に訴えて、広告効果を高める。【選択図】図１
0003139637.tif 000002
【実用新案登録請求の範囲】
【請求項１】
（１）和室を立体的に表現した平面絵柄を持つ広告板、
（２）広告版の中央部に設けたＬＥＤデイスプレイ、
（３）太陽光発電パネル付屋根、
上記（１）（２）（３）から構成されることを特徴とする屋外広告装置。
【考案の詳細な説明】
【技術分野】
【０００１】屋外に設置する広告装置に関する。
【背景技術】
【０００２】屋外広告板は、文字又は絵柄による変化の乏しいもの、あるいは静止画像や動画を表示するだけのものであり、広告板そのものが立体性を持ち、家庭的雰囲気等を付加したものはなかった。
【考案の開示】
【考案が解決しようとする課題】
【０００３】屋外広告板に立体性を持たせ、しかも、家庭的な雰囲気等を付加することによって、通行人等に関心と注目を喚起させて広告効果を高めるほか、疲れやストレスを癒す面でも効果がある屋外広告装置を実現させること。
【課題を解決するための手段】
【０００４】本考案は、（１）和室を立体的に表現した平面絵柄を持つ広告板、（２）広告板の中央部に設けたＬＥＤデイスプレイ、（３）太陽光発電パネル付屋根、これら（１）（２）（３）から構成される屋外広告装置である。なお、本考案では、ＬＥＤデイスプレイの記録装置にパソコンを接続して記録させ、文字と映像で発信する。また、和室を立体的に表現する平面絵柄は、畳、天井、壁及び障子等によって現している。
【考案の効果】
【０００５】屋外広告板が単なる平面的な「板」にしか視覚されなかったものを立体的な我が家の和室を表現し、通行人等に家庭的な雰囲気を醸し出して、安らぎを与えるという効果がある。
【考案を実施するための最良の形態】
【０００６】本考案を実施例にて説明する。
【実施例】
【０００７】図１は、正面からのものであり、屋外広告板の大きさは、約２９平方メートルで、そのうちデイスプレイの大きさは、約６平方メートルである。しかも、その上部には、山型２面の太陽光発電パネル１６枚を付設し、一日当たり約２４キロワットの電力を発電してＬＥＤデイスプレイ等を駆動する電源になっている。該広告板の中央部にあるＬＥＤデイスプレイの周囲は、絵柄で和室を立体的に表現している、すなわち、上部は、格子縞の板張り天井、下部は、畳８帖にその家の主人が横になって猫と一緒にくつろいでＬＥＤデイスプレイを観ている姿、左部は、掃きだしのガラス戸越しに庭の植木と芝生、右部には、壁に格子の障子の典型的な和室を立体的に表現し、通行人等の見る人に癒しと安らぎを与えるようにしている。【０００８】図２は、広告板側面からのものであり、上部の山型は屋根で太陽光発電パネルが取り付けられている。右側が正面になっている。
【符号の説明】
【０００９】      １、  ＬＥＤデイスプレイ
２、  天井の絵柄
３、  ガラス戸越しの植木と芝生の絵柄
４、  畳（横になっている主人と猫）の絵柄
５、  壁の絵柄
６、  格子の障子の絵柄
７，１０、  太陽光発電パネル付屋根
８、  柱
９、  和室を立体的に表現した平面絵柄を持つ広告板
１１、  換気口
１２、  側面
【図１】
0003139637.tif 000003
【図２】
0003139637.tif 000004
【手続補正書】
【提出日】平成19年10月9日(2007.10.9)
【手続補正１】
【補正対象書類名】明細書
【補正対象項目名】全文
【補正方法】変更
【補正の内容】
【考案の詳細な説明】
【技術分野】
【０００１】屋外に設置する広告装置に関する。
【背景技術】
【０００２】屋外広告板は、文字又は絵柄による変化の乏しいもの、あるいは静止画像や動画を表示するだけのものであり、広告板そのものが立体性を持ち、家庭的雰囲気等を付加したものはなかった。
【考案の開示】
【考案が解決しようとする課題】
【０００３】屋外広告板に立体性を持たせ、しかも、家庭的な雰囲気等を付加することによって、通行人等に関心と注目を喚起させて広告効果を高めるほか、疲れやストレスを癒す面でも効果がある屋外広告装置を実現させること。
【課題を解決するための手段】
【０００４】本考案は、（１）和室を立体的に表現した平面絵柄を持つ広告板、（２）広告板の中央部に設けたＬＥＤデイスプレイ、（３）太陽光発電パネル付屋根、これら（１）（２）（３）から構成される屋外広告装置である。なお、本考案では、ＬＥＤデイスプレイの記録装置にパソコンを接続して記録させ、文字と映像で発信する。また、和室を立体的に表現する平面絵柄は、畳、天井、壁及び障子等によって現している。
【考案の効果】
【０００５】屋外広告板が単なる平面的な「板」にしか視覚されなかったものを立体的な我が家の和室を表現し、通行人等に家庭的な雰囲気を醸し出して、安らぎを与えるという効果がある。
【考案を実施するための最良の形態】
【０００６】本考案を実施例にて説明する。
【実施例】
【０００７】図１は、正面からのものであり、屋外広告板の大きさは、約２９平方メートルで、そのうちデイスプレイの大きさは、約６平方メートルである。しかも、その上部には、山型２面の太陽光発電パネル１６枚を付設し、一日当たり約２４キロワットの電力を発電してＬＥＤデイスプレイ等を駆動する電源になっている。該広告板の中央部にあるＬＥＤデイスプレイの周囲は、絵柄で和室を立体的に表現している、すなわち、上部は、格子縞の板張り天井、下部は、畳８帖にその家の主人が横になって猫と一緒にくつろいでＬＥＤデイスプレイを観ている姿、左部は、掃きだしのガラス戸越しに庭の植木と芝生、右部には、壁に格子の障子の典型的な和室を立体的に表現し、通行人等の見る人に癒しと安らぎを与えるようにしている。【０００８】図２は、広告板側面からのものであり、上部の山型は屋根で太陽光発電パネルが取り付けられている。右側が正面になっている。
【図面の簡単な説明】
【０００９】
【図１】図１は、柱（８）、板（９）、屋根（７）からなる広告版であり、中央にＬＥＤデイスプレイ（１）を配置し、その上部に板張り天井（２）、下部に畳（４）、左部にガラス戸越しの庭（３）、右部に壁（５）と格子の障子（６）からなる和室を立体的に示した平面図である。
【図２】図２は、柱（８）に側面（１２）があり、上部の屋根（７）に太陽光発電パネル（１０）を付設し、右部（正面）には、ＬＥＤデイスプレイ（１）を示した立面図である。
【符号の説明】
【００１０】      １、ＬＥＤデイスプレイ
２、天井の絵柄
３、ガラス戸越しの植木と芝生の絵柄
４、畳（横になっている主人と猫）の絵柄
５、壁の絵柄
６、格子の障子の絵柄
７，１０、太陽光発電パネル付屋根
８、柱
９、和室を立体的に表現した平面絵柄を持つ広告板
１１、換気口
１２、側面
(57)【要約】【課題】  ボタンフロントシャツの第一ボタンを外した状態で、不本意な器具の露出を抑えること、えり元が自然と前後左右に開くように調節しながらも身だしなみを整えること及び首周りの通気性を確保すること。【解決手段】  薄板１の両端に備えたクリップ２で、シャツの左の前立て３及びシャツの右の前立て４を挟みえり元の開き方を調節する。【選択図】図３
0003139631.tif 000002
【実用新案登録請求の範囲】
【請求項１】
紐、鎖、線・板材等の両端にＺ字状或いはＳ字状のように各々相反する方向へ留め具を取り付けて使用する器具、或いは紐、鎖、線・板材等の両端に取り付けた留め具をＺ字状或いはＳ字状のように各々相反する方向へ向けて使用する器具
【考案の詳細な説明】
【技術分野】
【０００１】  本考案は、ボタンフロントシャツのえり元の開き方を調節するための、紐、鎖、線・板材等の両端にＺ字状或いはＳ字状のように各々相反する方向へ留め具を取り付けて使用する器具、或いは紐、鎖、線・板材等の両端に取り付けた留め具をＺ字状或いはＳ字状のように各々相反する方回へ向けて使用する器具に関する。
【背景技術】
【０００２】  第一ボタンを外した状態でえり元が乱れないように固定する方法として、第一ボタンと第一ボタン穴或いはその付近を固定して直線的に連結する襟元ピンが出願されている。（例えば文献１）
同様に鎖に付いたボタン掛けで第一ボタンと第一ボタン穴を連結する、シャツ襟袖の安定具、襟元鎖ピン、襟元止め具等も出願されている。（例えば文献２）
【文献１】
特許出願２００５−２１４９４０
【文献２】
登録実用新案第３１１４９２１号
【考案の開示】
【考案が解決しようとする課題】
【０００３】  通常、ボタンフロントシャツの第一ボタンを外した状態では、えりが自然と前後左右に開いて、首周りの通気性とファッション性をもたらしているが、えり元が乱れて下着が見えるような見苦しい状態もしばしば生じる。
襟元ピン等は、えり元が乱れないように固定する実用的な方法ではあるが、第一ボタン穴或いはその付近を固定して直線的に連結するため、姿勢によっては通気性が損なわれる場合があるばかりでなく、器具の露出が大きくて目立つことと直線的で不自然なえりの開き方がファッション性を損なう場合がある。
このため、不本意な器具の露出を抑えること、できるだけ立体的且つ自然にえり元の開き方を調節しながらも身だしなみを整えること及び首周りの通気性を確保することが求められていた。
【課題を解決するための手段】
【０００４】  ボタンフロントシャツの第一ボタンを外した場合に、紐、鎖、線・板材等の両端に取り付けた留め具を左右の前立てに各々取り付ける。留め具を取り付ける深さや位置、或いは線・板材を曲げることで、えり元の開き方を立体的に調節する。
本器具はＺ字状或いはＳ字状とすることによって、器具の大半を前立ての後ろに隠して片方の留め具だけを露出させる。このため、通常の使用状態でも目立つことはないが、留め具を小型化することや、透明な留め具を採用することによって、さらに目立たなくすることができる。反対に、目立たせたい場合には露出する方の留め具を加工することにより、アクセサリーとして使用することも可能である。【０００５】  また、微調整が必要な場合には、紐、鎖、線・板材等の中間部に、ネジ、アジャスター等の長さ調節部品を備えることも可能である。【０００６】  なお、固定するシャツの位置は、前立ての第一ボタンから第二ボタンの間が望ましい。
【考案の効果】
【０００７】  本考案により、ボタンフロントシャツの第一ボタンを外した場合に、不本意な器具の露出を抑えること、えり元が自然と前後左右に開くように調節しながらも身だしなみを整えること、首周りの通気性を確保すること及びアクセサリーとして使用することが可能となる。
【考案を実施するための最良の形態】
【０００８】  一枚の薄板の両端に備えたクリップでシャツの左右の前立てを挟み、薄板を折り曲げることで、えり元の開き方を調節する。
【実施例】
【０００９】  以下、本考案の実施例について図面を参照して説明すると、図１における薄板１の両端に備えたクリップ２で、図２におけるシャツの左の前立て３及びシャツの右の前立て４を挟み、薄板を折り曲げることで、えり元の開き方を調節する。
【産業上の利用可能性】
【００１０】  本考案により、ボタンフロントシャツの第一ボタンを外した場合に、不本意な器具の露出を抑えること、えり元が自然と前後左右に開くように調節しながらも身だしなみを整えること、首周りの通気性を確保すること、アクセサリーとして使用すること及びＩＤカードなどの固定具として使用することが可能となる。
【図面の簡単な説明】
【図１】両端にクリップを備えた本考案の概観図。
【図２】両端にクリップを備えた本考案の使用様態を示す模式図。
【図３】両端にクリップを備えた本考案の使用様態を示す平面図。
【符号の説明】
１  薄板
２  クリップ
３  シャツの左の前立て
４  シャツの右の前立て
【図１】
0003139631.tif 000003
【図２】
0003139631.tif 000004
【図３】
0003139631.tif 000005
(57)【要約】      （修正有）【課題】溶湯中の異物除去用の金網移送装置のキャッチャー構造に関するもので、板バネの、弾性変形による反力を利用して、椀形に成形した金網成形品の内周をキャッチするものである。【解決手段】軸１の一端に、軸と直角に板バネ３を固定し、該板バネ端面と、金網成形品５の内周との接点は３個所以上とし、該板バネの、弾性変形による反力を利用して、椀形に成形した金網成形品の内周をキャッチする。この様に板バネの弾性変形による反力を利用すれば金網成形品の線径、メッシュに関係なく、全品種に適応することができる。【選択図】図２
0003139652.tif 000002
【実用新案登録請求の範囲】
【請求項１】
軸の一端に、軸と直角に板バネを固定し、該板バネの端面が金網成形品の内周と接触する接点が３個所以上とし、該板バネの、弾性変形による反力を利用して、椀形に成形した金網成形品の内周をキャッチする事を特徴とする金網移送装置のキャッチャー構造。
【考案の詳細な説明】
【技術分野】
【０００１】  本考案は、溶湯中の異物除去用の金網を取り上げて、鋳造用の鋳型の湯口まで移送し、該湯口に挿入して取り付ける、金網移送装置のキャッチャー構造に関するものである。
【背景技術】
【０００２】  従来、金網を取り出して湯口に挿入する際、鉄製金網のように強磁性体からなる金網には、電磁石を利用して金網を吸着保持し湯口に挿入する技術が適用されているが、この技術は、銅製金網やアルミ製金網のように磁石に吸着されない材料からなる金網には適用できない。そこでこのような金網については、金網保持針をエアーシリンダーによって網目に突き刺しキャッチする方法（特開平−２４５５８１）がしられている。また、本発明者等らは、（実願２００５−４６２６）に於いて、金網自身の弾性変形による反力を利用して、キャッチする方法を提案している。
【考案の開示】
【考案が解決しようとする課題】
【０００３】  しかしながら、前述の金網保持針をエアーシリンダーによって網目に突き刺しキャッチする方法では、装置が大きくなり、しかもエアーによる動力源が必要になるため使用現場に制限がある。また、本発明者らが提案している、金網自身の弾性変形による反力を利用して、キャッチする方法では、線径、メッシュが異なれば、弾性変形による反力も異なり，全品種に適応出来ない。
【課題を決するための手段】
【０００４】  本考案の解決しようとする課題は以上の如くであり、次にこの課題を解決するための手段を説明する。
すなわち、軸の一端に、軸と直角に板バネを固定し、該板バネの端面が金網成形品の内周と接触する接点が３個所以上とし、該板バネの、弾性変形による反力を利用して、椀形に成形した金網成形品の内周をキャッチする。この様に板バネの弾性変形による反力を利用すれは金網成形品の線径、メッシュに関係なく、全品種のキャッチに適応することができる。
【考案の効果】
【０００５】  上述の様に、本考案の、軸に固定した板バネを金網成形品の内周に押し込んで、板バネの弾性変形による反力を利用して椀形に成形した金網成形品の内周をキャッチすれは金網成形品の線径、メッシュに関係なく、全品種のキャッチに適応することができる。
【考案を実施するための最良の形態】
【０００６】  板バネの中心に取り付け孔をあけ、取り付け具を介して、軸中心にねじ止めにて、取り付ける。板バネの対角寸法は、椀形に成形した金網成形品の内径と同一にする。
【実施例】
【０００７】  以下添付図面に従って一実施例を説明する。
図１は、本考案の、金網移送装置のキャッチャー構造である。板バネ３の中心に取り付け孔をあけ、取り付け具４を介して、軸１中心にねじ２にて、取り付ける。【０００８】  図２に示すごとく、軸に固定した板バネ３を金網成形品５の内周に押し込めは、板バネ３の端面６が金網成形品５の内周と接触し、板バネの弾性変形による反力を利用して椀形に成形した金網成形品の内周をキャッチする。図３は、中心に取り付け孔をあけた、金網成形品の内周との接点が３個所の板バネ、  図４は、接点が８個所の板バネ、図５は，全周が接点の板バネを示す。  これらを適宜使用して金網成形品の内周をキャッチすれは、金網成形品の線径、メッシュに関係なく、全品種のキャッチに適応することができる。
【図面の簡単な説明】
【０００９】
【図１】本考案の、金網移送装置のキャッチャー構造を示す断面図。
【図２】板バネの弾性変形による反力を利用して椀形に成形した金網成形品の内周をキャッチした断面図。
【図３】３接点の板バネ平面図
【図４】８接点の板バネ平面図
【図５】全周接点の板バネ平面図
【符号の説明】
【００１０】  １  軸
２  ねじ
３  板バネ
４  取り付け具
５  金網成形品
６  板バネ端面
【図１】
0003139652.tif 000003
【図２】
0003139652.tif 000004
【図３】
0003139652.tif 000005
【図４】
0003139652.tif 000006
【図５】
0003139652.tif 000007
(57)【要約】      （修正有）【課題】見えたり見えなかったりコントロールできるドア及び窓の構造を提供する。【解決手段】ドアパネル及び液晶薄膜で構成されたドア及び窓であり、ドアパネルに枠を具有し、該枠に液晶薄膜を設置する。本考案の窓は窓枠及び上述の液晶薄膜を含む。窓枠内に枠を設け、上述の液晶薄膜を該枠に設置する。【選択図】図１
0003139788.tif 000002
【実用新案登録請求の範囲】
【請求項１】
ドアパネル及び液晶薄膜を含み、
該ドアパネルに枠を具有し、液晶薄膜を該枠に設置することを特徴とするドアの構造。
【請求項２】
電源及び電源スイッチを含み、
電源は該液晶薄膜に接続し、電源スイッチは該電源に接続することを特徴とする請求項1記載のドアの構造。
【請求項３】
窓枠及び液晶薄膜を含み、
窓枠内に枠を含み、液晶薄膜を該枠の中に設置することを特徴とする窓の構造。
【考案の詳細な説明】
【技術分野】
【０００１】
本考案はドア及び窓の構造に関し、特に液晶透光度変化現象を利用するドア及び窓に関する。
【背景技術】
【０００２】
従来技術のドア窓はいつも変わり映えがなく、如何にして室内にいる人のプライバシーを守るのか、往々にして思いつくのはカーテンで隠す伝統的な方法のみ。しかし、この方法では、室内にいる人は室外にいる人が誰なのか、安全なのかを識別しにくいため、改善する必要があった。
【特許文献１】特開平第８−２１８６９５号公報
【考案の開示】
【考案が解決しようとする課題】
【０００３】
前記従来技術の欠点を解決するため、本考案はドアに枠を設け、該枠に液晶薄膜を設置することを主な課題とする。
【課題を解決するための手段】
【０００４】
前記課題を解決するため、本考案は液晶薄膜を提供するものであり、該透光度は電力を供給することで変化する。一般的に電力を提供しない場合、液晶薄膜の透光度が比較的低い。この時、室外にいる人は該枠を通じて、室内の様子が分かりにくいと同時に、室内の人も該枠より室外を見ることができにくい。
【０００５】
室内にいるユーザーが電源を入れ、液晶薄膜に電力を提供すると、液晶薄膜の透光度が比較的高くなるため、室外にいる人は該枠より室内の様子を観察しやすいと同時に、室内にいる人も、該枠を通じて、室外の様子を見ることができる。
【考案の効果】
【０００６】
本考案は液晶の薄膜を設置し、電力を供給することで、室内或いは室外にいる人がそれぞれの様子が見えやすい或いは見えにくくすることができる。
【考案を実施するための最良の形態】
【０００７】
図１に示すのは、本考案の第一実施例のドアの分解略図である。ドアはドアパネル10及び液晶薄膜20を含み、該ドアパネルに枠12を設け、該液晶薄膜20は該枠12の中に設置する。該枠12の設置により、ユーザーはドアや窓の外にいる人を観察しやすい。
【０００８】
本考案の第二実施例は窓である。該窓は従来の窓枠を含み、該窓枠内に自然に形成する従来の枠がある。該窓に第一実施例で言及する液晶薄膜20を具有することができる。この液晶薄膜20は、該窓及び第一実施例のドアとの共同技術の特徴の一つである。
【０００９】
図２は本考案の第一実施例であり、液晶薄膜20及び部品の構造略図である。図２に示すように、本考案の第一実施例のドアは電源60及び電源スイッチ70を含む。該電源60は該液晶薄膜20と接続する。電源スイッチ70は該電源60と接続する。電源60は交流電化に限らず、直流電化でも良い。上述の電源スイッチはドアパネル10の上に設置することができる。ベストな設置場所は、ドアパネル10の室内の面である。
【００１０】
前記液晶薄膜の透光度は該電源60より電力の供給の有るなしにより変化する。一般的に電力を提供しない場合、液晶薄膜20の透光度が比較的低い。この時室外にいる人は該枠12を通じて室内の様子が分かりにくいと同時に、室内にいる人も該枠12を通じて室外を観察しにくい。
【００１１】
室内にいるユーザーが電源スイッチ70を使って電源60を入れ、液晶薄膜20に電力を提供すると、液晶薄膜20の透光度が比較的高くなる。この時、室外にいる人は該枠12を通じて室内の様子を見ることができ、同時に室内にいる人も該枠12を通じて室外を観察することができる。
【００１２】
本考案は第一ガラスパネル32及び第二ガラスパネル34を含み、共に上述の液晶薄膜20を挟む。
【００１３】
該ガラスパネル32，34は液晶薄膜20を挟んで固定するほかに、防火の効果を具有する。第一ガラスパネル32は厚み約25mmの防火ガラスであり、第二ガラスパネル34は強化ガラスである。二枚にガラスパネル32、34は液晶薄膜20を挟むと、トータルの厚みが約30mmになる。
【００１４】
上述のガラスパネル32或いは34の上にLEDライトを設置することができる。該LEDライトは対外の照明に使用し、上述の電源60に接続できる。室内にいるユーザーが電源スイッチ70で電源を入れると、液晶薄膜20の透光度を高められると同時に、LEDライトを点けた対外照明により、室外の様子がよりはっきりと見えるようになる。
【００１５】
本考案のドアは更に第一金属パネル42及び第二金属パネル44を含み、共同に上述のガラスパネル42、44及び液晶薄膜20を挟む。
【００１６】
上述の金属パネル42、44はそれぞれ複数個の穴50を具有し、穴50を設置するのは、金属パネル42、44が完全に室内或いは室外にいる人の視線を遮らないためである。
【００１７】
本考案のドアは更に第一固定パネル82及び第二固定パネル84を含み、共同に上述の金属パネル42、44、ガラスパネル32、34及び液晶薄膜20を挟む。
【００１８】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【図面の簡単な説明】
【００１９】
【図１】本考案の第一実施例であり、ドアの分解略図である。
【図２】本考案の第一実施例であり、液晶薄膜及び周りの部品構造略図である。
【符号の説明】
【００２０】
10ドアパネル
12枠
20液晶薄膜
32第一ガラスパネル
34台にガラスパネル
42第一金属パネル
44第二金属パネル
50穴
60電源
70電源スイッチ
82第一固定パネル
84第二固定パネル
【図１】
0003139788.tif 000003
【図２】
0003139788.tif 000004
(57)【要約】      （修正有）【課題】折取り溝を有する替え刃をホルダーに収納して用いる形式のカッターにおいて、折り取り溝が視認し難いために、刃の出し過ぎに気が付かない状態で作業することにより生じる問題や、折り取り溝で区切られた単位刃の残数を容易に視認できない問題を解決した、カッターの替え刃を提供する。【解決手段】それぞれの単位刃の表面に、隣接する単位刃とは相異なる彩色を施すか、表面に彩色を施した単位刃３ａと彩色を施していない単位刃を隣接させることで、折り取り溝２ａの視認性を向上する。また、単位刃表面に連続した番号を表示することで、単位刃の残数を一目で判別可能となる。 【選択図】図１
0003139763.tif 000002
【実用新案登録請求の範囲】
【請求項１】
一定間隔で設けられた折り取り溝により区切られた単位刃を有するカッター用替え刃において、表面に彩色が施された前記単位刃と、表面に彩色が施されていない前記単位刃が交互に隣接していることを特徴とするカッター用替え刃。
【請求項２】
一定間隔で設けられた折り取り溝により区切られた単位刃を有するカッター用替え刃において、隣接する前記単位刃と相異なる色により、それぞれの前記単位刃表面に彩色が施されていることを特徴とするカッター用替え刃。
【請求項３】
前記単位刃のそれぞれの表面に、連続した番号が表示されていることを特徴とする、請求項１または請求項２に記載のカッター用替え刃。
【考案の詳細な説明】
【技術分野】
【０００１】
本考案は、折り取り溝を有する替え刃を、ホルダーに収納して使用し、損耗した替え刃の先端部分を折り取ることができるカッターの替え刃に関するものである。
【背景技術】
【０００２】
片手で操作できる刃物として、折り取り溝が設けられた替え刃を用いたカッターが普及している。図３は、このような形式のカッターに用いる従来の替え刃の概略を示す図で、１ｃは替え刃、２ｃは折り取り溝、４ｃ替え刃固定用穴である。また、図４は、このような形式のカッターの概略を示す図で、６はカッター、７は替え刃、８はホルダー、９は替え刃の固定ねじである。
【０００３】
このような替え刃は、作業により、摩耗したり欠けたりした部分を折り取ることで、一定の切れ味が確保できる特長がある。しかし、このような利便性を有する反面、折り取り溝で区切られた単位刃を折り取る際に、折れた部分が思わぬ方向に飛び散ることがあり、後処理のための対策が必要である。
【０００４】
また、従来の替え刃は、ＳＫ材などの刃物用炭素工具鋼の素材をそのまま使用しているため、折り取り溝が視認し難いものであり、替え刃の先端を、必要以上にホルダーから出した状態で使用することがあったり、単位刃の残数が把握し難くかったりするという問題がある。
【０００５】
折り取りの際の安全対策の一環として、特許文献１には、替え刃の刃先に対して折れ線を鈍角にした替え刃を有する、安全カッターナイフに関する技術が開示されている。しかしながら、後者の問題に関しては、適切な対策が見出せていないのが現状である。
【０００６】
【特許文献１】特開２０００５−２５３９３７号公報
【考案の開示】
【考案が解決しようとする課題】
【０００７】
従って、本考案の課題は、折取り溝を有する替え刃をホルダーに収納して用いる形式のカッターにおいて、折り取り溝が視認し難いために、刃の出し過ぎに気が付かない状態で作業することにより生じる問題や、単位刃の残数を容易に視認できない問題を解決した、カッターの替え刃を提供することにある。
【課題を解決するための手段】
【０００８】
本考案は、前記の課題を解決するために、替え刃における折り取り溝の視認性向上を検討した結果なされたもので、折り取り溝で区切られたそれぞれの単位刃の表面に、隣接する単位刃とは相異なる彩色を施すことを特徴とするものである。また、表面に彩色を施した単位刃と彩色を施していない単位刃を隣接させることでも同様の効果が得られる。さらに、単位刃表面の彩色の上に連続した番号を表示することで、単位刃の残数を容易に視認可能となることも、本考案の特徴である。
【考案の効果】
【０００９】
本考案によれば、替え刃の折り取り溝の視認性が格段に向上し、単位刃の残数も容易に視認可能となるので、カッターの取り扱いに伴う問題を、大幅に改善できる。
【考案を実施するための最良の形態】
【００１０】
次に図を参照しながら、本考案の実施の形態について説明する。図１は本考案に関わる替え刃の第一の例を示す図である。図１において、１ａは替え刃、２ａは折り取り溝、３ａは表面に彩色が施された単位刃、４ａは替え刃固定用穴である。
【００１１】
この例においては、単位刃表面への彩色が一つおきに施されて、彩色が施されている単位刃と、彩色が施されていない単位刃が交互に隣接する状態となっている。これによって折り取り溝の視認性が大幅に向上する。また、特に図示しないが、全部の単位刃に、隣接する単位刃と相異なる色で彩色を施しても、まったく同じ効果が得られるのは勿論である。
【００１２】
図２は本考案に関わる替え刃の第二の例を示す図である。図２において、１ｂは替え刃、２ｂは折り取り溝、３ｂは表面に彩色が施された単位刃、４ａは替え刃固定用穴、５は単位刃の番号を示す数字である。
【００１３】
この例においては、図示したように、替え刃固定用穴４ｂから先端に向かって連続した番号が表示されているので、単位刃の残数が一目で判別できる。従ってこの数字は、替え刃の交換時機を知る上で非常に有用である。
【００１４】
以上に説明したように、本考案によれば、作業性が向上したカッター用替え刃が得られる。なお、本考案は、前記実施の形態に限定されるものではなく、本考案の要旨を逸脱しない範囲の設計変更があっても、本考案に含まれる。即ち、本技術分野における通常の知識を有する者であれば想到し得る、各種変形、修正を含むことは勿論である。
【図面の簡単な説明】
【００１５】
【図１】本考案に関わる替え刃の第一の例を示す図
【図２】本考案に関わる替え刃の第二の例を示す図
【図３】従来の替え刃の概略を示す図
【図４】形式のカッターの概略を示す図
【符号の説明】
【００１６】
１ａ，１ｂ，１ｃ，７  替え刃
２ａ，２ｂ，２ｃ      折り取り溝
３ａ，３ｂ            表面に彩色が施された単位刃
４ａ，４ｂ，４ｃ      替え刃固定用穴
５                    単位刃の番号を示す数字
６                    カッター
８                    ホルダー
９                    替え刃の固定ねじ
【図１】
0003139763.tif 000003
【図２】
0003139763.tif 000004
【図３】
0003139763.tif 000005
【図４】
0003139763.tif 000006
(57)【要約】【課題】  ねじを分類して収納でき、ねじの紛失や散乱を防止できる収納皿を提供する。【解決手段】  収納皿は、側壁と底面部で構成される収納皿本体と、収納皿内部を複数の収納部分に仕切るための仕切り板と、収納皿の底面部に設けらた仕切り板を保持する、内部が空洞のハブと、複数の収納部分の個々に対して底面部に配置された磁石と、からなる。  収納皿の底面部の下側に設けられた滑り止め部材をさらに有することが好ましい。【選択図】    図１
0003139546.tif 000002
【実用新案登録請求の範囲】
【請求項１】
側壁と底面部で構成される収納皿本体と、収納皿内部を複数の収納部分に仕切るための仕切り板と、収納皿の底面部に設けられた仕切り板を保持する、内部が空洞のハブと、複数の収納部分の個々に対して底面部に配置された磁石と、を有することを特徴とする収納皿。
【請求項２】
収納皿の底面部の下側に設けられた滑り止め部材をさらに有することを特徴とする請求項１に記載の収納皿。
【考案の詳細な説明】
【技術分野】
【０００１】
本考案は、収納皿に関し、特に、ねじを分類して収納するのに適した収納皿に関する。
【背景技術】
【０００２】
収納皿の従来例としては、皿の底面に磁石を取り付けて、例えば、鉄等の製品のように磁石によって保持される物質をその収納皿の内部に確実に保持するようにした皿がある。また、特開２００４−７３５号公報は、転倒防止のための底部に磁石を取り付けた容器を載せる配膳用容器トレイを開示している。
【特許文献１】特開２００４−７３５号公報
【考案の開示】
【考案が解決しようとする課題】
【０００３】
前者の収納皿は単に鉄製品をそのまま収納するためのものであり、例えば何種類かのねじを分類して収納することはできなかった。また、後者の配膳用容器トレイとともに用いられる磁石付き容器は転倒防止のために磁石が用いられているに過ぎないものである。
【課題を解決するための手段】
【０００４】
機械製品が故障した場合、分解して修理するためには、機械製品の組立てに用いられている多数の何種類かのねじを外し、機械製品を修理し、その後、再び分解個所から外したねじと同一のねじを装着して組立てる必要がある。このような場合、取り外したねじの紛失をなくして、組立ての際に用いる必要がある。従来例の磁石を用いた収納容器や収納皿はこの目的のためには適したものではない。
【０００５】
したがって、本考案の目的は、ねじを分類して収納でき、ねじの紛失や散乱を防止できる収納皿を提供することにある。
【考案の効果】
【０００６】
本考案によると、ねじを分類して収納でき、紛失を防止できる収納皿が得られる。
【考案を実施するための最良の形態】
【０００７】
本考案の収納皿は、側壁と底面部で構成される収納皿本体と、収納皿内部を複数の収納部分に仕切るための仕切り板と、収納皿の底面部に設けらた仕切り板を保持する、内部が空洞のハブと、複数の収納部分の個々に対して底面部に配置された磁石と、からなる。また、収納皿の底面部の下側に設けられた滑り止め部材をさらに有することが好ましい。
【実施例】
【０００８】
次に、図面を参照して本考案を説明する。図１は本考案の収納皿を上方から見た斜視図であり、図２は本考案の収納皿を下方から見た斜視図である。図１において、収納皿１０は、上方に広がった円形の側壁１２と、この側壁１２と一体に成形された底面部１４と、仕切り板１６と、仕切り板１６を保持するように底面部１４の中心部に設けられたほぼ円錐状ハブ１８とからなる。
【０００９】
収納皿１０はこの実施例では円形であるが、必ずしも円形である必要はなく、任意の他の適切な形状、例えば、四角形であってもよい。ここで、側壁１２と底面部１４は収納皿本体を構成している。この実施例では、６つの仕切り板１６が用いられて、収納皿の内部に６つの収納部分を形成している。しかし、任意の適切な数の仕切り板１６を用いて、収納皿の内部を任意の数に仕切ることができる。ハブ１８は、図２に示すように、内部が空洞１８ａに形成されている。このため、複数の収納皿１０を重ねて保持することができる。
【００１０】
図２を参照すると、収納部分のほぼ中心の位置に磁石２０がそれぞれ配置されている、これらの磁石２０は、底面部１４の内部に埋め込まれてもよく、また底面部１４の下側に取り付けられてよく、さらにまた、底面部１４の上側に取付けられてもよい。これらの磁石は収納部分に入れられたねじを吸引力で保持し、例えば、収納皿が何らかの理由で（例えば持ち運び中に斜めになるようなときに）ねじの散乱を防止する。収納皿の底面部１４の下側には、ゴム等の滑り止め部材２２が取付けられているのが好ましい。
【図面の簡単な説明】
【００１１】
【図１】本考案の収納皿を上方から見た斜視図である。
【図２】本考案の収納皿を下方から見た斜視図である。
【符号の説明】
【００１２】
１０  収納皿
１２  側壁
１４  底面部
１６  仕切り板
１８  ハブ
２０  磁石
２２  滑り止め部材
【図１】
0003139546.tif 000003
【図２】
0003139546.tif 000004
(57)【要約】      （修正有）【課題】肥満の結果起こる様々な健康上の障害は、成人病の問題として広く知られるようになってきたが、特にメタボリックシンドロームとして広く認識されてきている。この問題を解決するための方法を提供する。【解決手段】ズボンに着脱可能にした３つの当板を備えたインナーベルトを使った２つの方法によって課題を解決する。その１はインナーベルトを使って肥満した下腹を引き締めることであり、その２はインナーベルトにとりつけたウェストサイズ目盛によって自覚を促す。【選択図】図１
0003139592.tif 000002
【実用新案登録請求の範囲】
【請求項１】
ベルトの一方あるいは両方の側にウェストサイズ目盛あるいは色分け目盛を備え、装着時にサイズが読み取れるという特徴を持ったインナーベルト。
【請求項２】
請求項１記載のインナーベルトが、ウェストサイズ測定の位置で装着できるように設置された左右の腰の位置にセットできるプラスチック、ゴム、皮あるいは金属の中から選ばれた１または２以上の組み合わせの当板。
【考案の詳細な説明】
【技術分野】
【０００１】
本考案は、ズボンの内側に着脱可能にした２ヶ所あるいは３ヶ所の当板をそなえたインナーベルトに関する。
【背景技術】
【０００２】
ウェストサイズを測定する方法は、目盛のついたヒモ状の巻尺で測定する方法で一般的に行われている。
【特許文献１】実願２００５−００６８１３
【考案の開示】
【考案が解決しようとする課題】
【０００３】
食生活が豊かになり、車社会が普及すると共に肥満の人が増加し、その結果起こる様々な健康上の障害、例えば糖尿病、心臓病、高血圧等々の成人病の問題として、具体的な対策を迫られて来ている。このまま放置した場合、将来の医療費負担の増加として大きく降りかかって来ると予想されている。
【０００４】
肥満の問題は、メタボリックシンドロームとして、広く認識されて来ており、肥満対策は国、地方自治体を通して取り組むべき課題であり、この課題を解決するための方法を提供する。
【課題を解決するための手段】
【０００５】
本考案は、ズボンに着脱可能にした３ヶ所の当板をそなえたインナーベルトを使った、２つの手法によって課題を解決する。
【０００６】
その１は、インナーベルトによって肥満した下腹を引き締めることである。
【０００７】
その２は、インナーベルトにとりつけたウェストサイズ目盛によってである。
【考案の効果】
【０００８】
左右の当板によって腰骨の位置よりインナーベルトを締める位置が約５ｃｍ程高くなり、インナーベルトによって下腹を引き上げ、引き締めることで満腹感を刺激し、過食にならないように自覚を促すことによる、肥満の予防的効果によって課題を解決する。
【０００９】
インナーベルトの外周部か内周部かあるいは両方の側にウェストサイズを測定できるように設置するか、あるいは印刷した目盛によってベルトのバックル部分を折り返して、着用する時に目盛を読み取ることでウェストサイズを自覚し、肥満度を自己判断することで肥満を抑制する効果によって課題を解決する。
【考案を実施するための最良の形態】
【００１０】
幅５ｃｍ、厚さ１〜２ｍｍの一方の側が面ファスナーメス部で出来、ベルト先端から約５ｃｍのところを１００ｃｍとして８０ｃｍより順次目盛のつけられた布製のメジャーをベルト外周部あるいは内周部に有し、ベルト先端５ｃｍが面ファスナーオス部となっており、バックルを通した着用時のベルト先端の密着位置および折り返し位置によってウェストサイズを読み取れ、弾力があり体の側面に会うように湾曲させた硬質プラスチック製の当板と、腰の真後ろの位置に止まるように取り付けた同様の当板によって、腰骨より約４ｃｍあげた位置で固定することが出来、正確なサイズ測定が行える。
【００１１】
又、このインナーベルトを着用することによって、下腹を引き上げて締めることにより満腹感を与え、肥満防止に役立てることが出来る。
【実施例】
【００１２】
図２で示す通り、インナーベルトのバックル部分で折り返した時にウェストサイズの目盛を目視して、ウェストサイズを測定する。図３、図４は、インナーベルトを着装した状態を示しており、左右の当板によって約４ｃｍ腰骨の位置より上がった位置が、丁度体の中心のへその部分を通り、正しい測定位置と重なる。
【００１３】
図４で示す左右の当板によって、約４ｃｍ引き上げられたインナーベルトを締めることで、下腹を引き上げ引き締めることができる。
【図面の簡単な説明】
【００１４】
【図１】本考案の実施形態を示す全体図１
【図２】本考案の実施形態を示す全体図２
【図３】インナーベルト着装状態図１  ズボンの内側
【図４】インナーベルト着装状態図２  ズボンをはく前の状態
【符号の説明】
【００１５】
１    インナーベルト帯地部
２    ウェストサイズ測定目盛
３    左右当板
４    後部当板
５    面ファスナーオス部
６    面ファスナーメス部
７    バックル部
【図１】
0003139592.tif 000003
【図２】
0003139592.tif 000004
【図３】
0003139592.tif 000005
【図４】
0003139592.tif 000006
(57)【要約】【課題】１個所で水虫にかかっても水虫が他の指股部に移りにくくした水虫予防具であり、指の付け根を包むようにフィットし、脱げにくくした水虫予防具を提供する。【解決手段】繊維材料を用いて丸編にて作られ、足２の５本の指３の股部４のみを全体に亘って覆うとともに５本の指３個々に嵌められるように５つの指挿通孔５を一体に備えてなり、全体に弾性糸が編み込まれている。【選択図】図３
0003139501.tif 000002
【実用新案登録請求の範囲】
【請求項１】
繊維材料を用いて丸編にて作られ、足の５本の指の股部のみを全体に亘って覆うとともに５本の指個々に嵌められるように５つの指挿通孔を一体に備えてなり、全体に弾性糸が編み込まれていることを特徴とする水虫予防具。
【考案の詳細な説明】
【技術分野】
【０００１】
本考案は、足の５本指に嵌めて使用される水虫予防具に関するものである。
【背景技術】
【０００２】
従来から、水虫は特に足の指の股部に発症することが多く、１個所で水虫にかかると、隣りの指に水虫が移るという問題があった。
このように水虫が移りやすいのは水虫は皮膚感染病であるとともに、足は靴下で包まれている時間が長く、特に靴の中で蒸れやすく、水虫が好む環境下にあるためであり、１個所で水虫にかかると、他の部位に増殖することが避け難いものである。
【考案の開示】
【考案が解決しようとする課題】
【０００３】
本考案の目的は、このような課題を解決するものであり、１個所で水虫にかかっても水虫が他の指に移りにくくした水虫予防具であり、指の付け根を包むようにフィットし、脱げにくくした水虫予防具を提供することにある。
【課題を解決するための手段】
【０００４】
本考案の請求項１に記載の水虫予防具は、繊維材料を用いて丸編にて作られ、足の５本の指の股部のみを全体に亘って覆うとともに５本の指個々に嵌められるように５つの指挿通孔を一体に備えてなり、全体に弾性糸が編み込まれていることを特徴とするものである。
【考案の効果】
【０００５】
以上のように、本考案の水虫予防具は、水虫予防具を足の５本の指に嵌めた状態において５本の指の股部に近い部分は互いに接触することがなく、何れかの指の股部が水虫にかかっていても、他の部分を水虫から防御することができる。さらに、本考案の水虫予防具は全体に弾性糸が編み込まれているので、指の付け根を包むようにフィットし、脱げにくくすることができる。
【考案を実施するための最良の形態】
【０００６】
以下、本考案の一実施の形態を、図１〜図３を用いて具体的に説明する。
図において、１は足２の５本の指３全体に嵌めて使用される水虫予防具であって、綿などの繊維材料を用いて丸編機にて作られている。さらに詳しくは、本実施の形態の水虫予防具１は足２の５本の指３の股部４のみを全体に亘って覆うとともに５本の指３個々に嵌められるように５つの指挿通孔５を一体に備え、水虫予防具１を足２の指先から嵌めた装着状態において指先が水虫予防具１から露出するようになっている。そして、この水虫予防具１には全体に弾性糸（カバーリング糸）が編み込まれているものである。
【０００７】
このように水虫予防具１を足２の５本の指３に嵌めた状態において５本の指３の股部４に近い部分は互いに接触することがなく、何れかの指３の股部４が水虫にかかっていても、他の部分を水虫から防御することができる。
【０００８】
なお、実施の形態を示す図面では水虫予防具１を足２の５本の指３に嵌めてはいるが靴下を履いていない状態であり、水虫予防具１を足２の５本の指３に装着した状態で靴下（ストッキングを含む）を履くようにしても良い。
【図面の簡単な説明】
【０００９】
【図１】本考案の一実施の形態における水虫予防具の斜視図である。
【図２】同水虫予防具の断面図である。
【図３】同水虫予防具の使用状態を示す斜視図である。
【符号の説明】
【００１０】
１    水虫予防具
２    足
３    指
４    股部
５    指挿通孔
【図１】
0003139501.tif 000003
【図２】
0003139501.tif 000004
【図３】
0003139501.tif 000005
(57)【要約】      （修正有）【課題】透明な名刺において、表裏の両面から、氏名などの文字を読みとれるようにする文字表示体を提供する。【解決手段】透明又は半透明の基体１と、左右対称な形状に造形した文字を表示する表示部２とからなる文字表示体１０を構成する。基体はプリンターによって安易に印刷できるポリエステル系樹脂シートを使用する。【選択図】図１
0003139516.tif 000002
【実用新案登録請求の範囲】
【請求項１】
透明又は半透明の基体と、左右対称な形状に造形した文字を表示する表示部とからなる文字表示体。
【請求項２】
前記基体の表面に前記表示部を印刷して設けた請求項１に記載の文字表示体。
【請求項３】
前記基体の表面に前記表示部を刻印して設けた請求項１に記載の文字表示体。
【請求項４】
前記基体の内部に前記表示部を形成した請求項１に記載の文字表示体。
【請求項５】
前記基体にレーザー照射して前記表示部を形成した請求項４に記載の文字表示体。
【考案の詳細な説明】
【技術分野】
【０００１】
本考案は、ストラップ、キーホルダーを含む造形物や名刺などに文字を表示した文字表示体に関する。
【背景技術】
【０００２】
従来のように紙名刺を使用せず、透明パウチフィルム又は透明塩ビフィルムにより印刷物などを挟んで圧着してなる透明な名刺は知られている（例えば、特許文献１参照）。
【０００３】
【特許文献１】実開平６−３４９７８号公報
【考案の開示】
【考案が解決しようとする課題】
【０００４】
しかし、特許文献１に記載の透明な名刺は、透明フィルムの間に挟んだ印刷物が非透明体であると、その部分の透明性が阻害されて見た目が悪くなる。一方、この透明な名刺は、透明フィルムの間に挟んだ印刷物も透明体であると、裏側からも文字が見えるために、表裏の区別がつかなくなり、氏名などの文字を読み難いという問題があった。
【課題を解決するための手段】
【０００５】
本考案は、上記課題を解決するために、透明又は半透明の基体と、左右対称な形状に造形した文字を表示する表示部とからなる文字表示体を提供するものである。
【０００６】
また、本考案の文字表示体は、前記基体の表面に前記表示部を印刷して設けてある。
【０００７】
また、本考案の文字表示体は、前記基体の表面に前記表示部を刻印して設けてある。
【０００８】
また、本考案の文字表示体は、前記基体の内部に前記表示部を形成してある。
また、本考案の文字表示体は、前記基体にレーザー照射して前記表示部を形成してある。
【考案の効果】
【０００９】
本考案の文字表示体は、透明又は半透明の基体と、左右対称な形状に造形した文字を表示する表示部とからなることにより、正面側及び背面側の何れの方向からも同一形状の文字を読み取ることができるから、透明感のある基体に表示した文字を正面側と背面側の両方向から確実に視認することができる効果がある。
【００１０】
また、本考案の文字表示体は、前記基体の表面に前記表示部を印刷して設けてあることにより、基体の表面に簡単に表示部を形成することができる。例えば、文字表示体は、透明又は半透明の樹脂シートに、左右対称な形状に造形した文字で構成された氏名を印刷して設けることにより、表裏両側から氏名を読み取り可能な名刺として使用することができる効果がある。
【００１１】
また、本考案の文字表示体は、前記基体の表面に前記表示部を刻印して設けてあることにより、基体の表面に簡単に表示部を形成することができると共に、装飾性を付加することができる効果がある。
【００１２】
また、本考案の文字表示体は、前記基体の内部に前記表示部を形成してあることにより、シート状体に限らず、角柱体や円柱体などの立体的な造形物からなる基体の内部に表示部を設けることができる効果がある。
【００１３】
また、本考案に係る文字表示体は、前記基体にレーザー照射して前記表示部を形成してあることにより、基体の内部に種々の形状の表示部を簡単且つ迅速に形成することができる効果がある。
【考案を実施するための最良の形態】
【００１４】
本考案の実施の形態を図示する実施例に基づいて説明する。
本考案の文字表示体１０は、透明又は半透明の基体１と、左右対称な形状に造形した文字を表示する表示部２とから構成してある。
【実施例１】
【００１５】
図１及び図２に示す実施例において、文字表示体１０は名刺である。図１は、文字表示体１０を表側から見た表面図であり、図２は、その文字表示体１０を裏側から見た裏面図である。
基体１は、透明又は半透明の合成樹脂シートからなる。基体１は、プリンターによって表示部２を容易に印刷することができることから、ポリエステル系樹脂シートを使用することが好ましい。
【００１６】
表示部２は、漢字などを左右対称な形状に造形した造形文字で構成してあり、基体１の表面に印刷して設けてある。この左右対称な造形文字は、予め作成してデーターベースに蓄積してあり、印刷する文字列をデーターベースから選択することができるようにしてある。
【００１７】
図１に示すように、表示部２は、少なくとも氏名欄を左右対称な造形文字で構成してあるから、図２に示すように、名刺を裏側から見た場合でも氏名を確実に読み取ることができる。
【実施例２】
【００１８】
図３及び図４に示す実施例において、文字表示体１０は、ストラップやキーホルダーに設けて好適なアクセサリーである。基体１は、透明又は半透明の合成樹脂又はガラスからなる。基体１は、透明度、表面硬度、剛性、耐候性に優れるから、アクリル樹脂からなることが好ましい。図示の実施例において、基体１は、正四角柱形状をなしている。
【００１９】
表示部２は、基体１にレーザー照射して、基体１の内部に左右対称な造形文字を形成してある。このレーザー照射は、基体１内部の目標点に複数の極細の高発熱レーザーを照射することにより、複数のレーザーが集まる目標点が熱変化を起こして点描される。表示部２は、この目標点を３次元で連続的又は断続的に移動することにより、所望の文字が形成される。また、表示部２は、基体１の表面に刻印して設けることも可能である。
【図面の簡単な説明】
【００２０】
【図１】本考案に係る文字表示体の一実施例を示す表面図。
【図２】その一実施例を示す裏面図。
【図３】本考案に係る文字表示体の他の実施例を示す斜視図。
【図４】他の実施例を示す断面図。
【符号の説明】
【００２１】
１  基体
２  表示部
１０  文字表示体
【図１】
0003139516.tif 000003
【図２】
0003139516.tif 000004
【図３】
0003139516.tif 000005
【図４】
0003139516.tif 000006
(57)【要約】      （修正有）【課題】各種の用紙サイズの相関関係が具体的かつ瞬時に判断し、活用できる様にする。【解決手段】写真の用紙サイズ、Ａ判・Ｂ判の用紙サイズ、その他日常の使用頻度の高い用紙サイズとの相関関係を実物大の枠で表して用紙サイズの名称とサイズの数値を併記し、用紙の種類毎に色を分けをする。該シートは実物大のサイズである事から、各種用紙の相関関係が具体的かつ瞬時に判断できる様になり、用紙を入手、印刷、額や台紙に入れる際等の判断材料となるだけでなく、必要な大きさに切断や貼り合わせをする際にも効率的に作業が行えるという利点がある。【選択図】図１
0003139526.tif 000002
【実用新案登録請求の範囲】
【請求項１】
写真の用紙サイズ、Ａ判・Ｂ判の用紙サイズ、その他日常の使用頻度の高い用紙サイズとの相関関係を実物大の枠で表して用紙サイズの名称とサイズの数値を併記し、用紙の種類毎に色を分けている事を特徴とするシート。
【考案の詳細な説明】
【技術分野】
【０００１】
本考案は、各種の用紙サイズの相関関係を具体的かつ瞬時に判断し、活用するためのシートに関するものである。
【背景技術】
【０００２】
写真の用紙サイズやその名称は限られた分野のみで使用されており、広範囲の分野で使用されているＡ判・Ｂ判の用紙サイズやその他日常の使用頻度の高い用紙サイズとの相関関係が分かりにくいという欠点があった。
【０００３】
この改善策として、各種の用紙サイズの数値が記載された表は存在していたものの、具体的かつ瞬時には判断できるものではなかった。
【非特許文献１】「写真・映像用品ショーカタログ」日本写真映像工業会出版  ２００５年３月
【０００４】
また、各種の用紙サイズの実物大でない比較図は存在していたものの、図のみでは相対的な判断しかできず、各種の用紙サイズの数値が記載された表と併せて、ようやく判断できるものであった。
【非特許文献１】「写真・映像用品ショーカタログ」日本写真映像工業会出版  ２００５年３月
【考案の開示】
【考案が解決しようとする課題】
【０００５】
解決しようとする問題点は、各種の用紙サイズの相関関係が具体的かつ瞬時には判断できない点である。
【課題を解決するための手段】
【０００６】
本考案は、各種の用紙の実物大の枠を印刷して用紙サイズの名称とサイズの数値を併記する事と、用紙の種類毎に色を分けている事を最も主要な特徴とする。
【考案の効果】
【０００７】
本考案のシートは実物大のサイズである事から、各種用紙の相関関係が具体的かつ瞬時に判断できる様になり、用紙を入手、印刷、額や台紙に入れる際等の判断材料となるだけでなく、必要な大きさに切断や貼り合わせをする際にも効率的に作業が行えるという利点がある。
【考案を実施するための最良の形態】
【０００８】
シート状の物品に、各種用紙の実物大の枠を印刷して用紙サイズの名称とサイズの数値を併記し、かつ、用紙の種類毎に色分けを行う事により実現した。
【産業上の利用可能性】
【０００９】
写真店の店員が顧客からプリントの受注受付を行う際、顧客に写真の用紙サイズを説明する。
【００１０】
写真店の店員となる人材が顧客からプリントの受注受付を行う際に、指示されたプリントサイズを理解できる様にする為の教育に使用する。
【００１１】
写真愛好家や写真、パソコン関連の教室等において、各種の用紙サイズの相関関係を理解するための教材として使用する。
【００１２】
複数の印刷物等を組み合わせて、希望の大きさの用紙を作成するために使用する。
【００１３】
カッターを用いて用紙を切断する際に使用するカッティングマットに本シートの内容を記載する事により、用紙を希望の大きさに切断する。
【００１４】
従来、基本的には写真サイズしか取り扱ってこなかった写真店、写真館、カメラマン等が、Ａ判・Ｂ判の用紙サイズとの相関関係を認識する事により、Ａ判・Ｂ判の用紙サイズその他日常の使用頻度の高い用紙サイズを取り扱っている相手との業務を円滑に進める事ができる様になる。
【図面の簡単な説明】
【００１５】
【図１】シートを示した平面図である。
【図１】
0003139526.tif 000003